(57)【特許請求の範囲】
【請求項１】
マグネットに継鉄板を吸着させたマグネットユニットを収容した筐体に、湾曲部とその湾曲部に連設されたアーム部とを有するばね材が収容され、上記アーム部に設けられた係合部が上記筐体の側板に開設された開口から突出されてその開口の口縁に係止されていると共に、上記湾曲部が上記マグネットユニットを付勢して上記継鉄板に設けられた吸着部が上記筐体の前板に開設されている開口から突出され、上記係合部と上記前板に具備されて外側へ張り出した鍔部とによって当該マグネットキャッチの取付孔の孔縁部を挟持することができるようになっているリサイクル型マグネットキャッチにおいて、
上記前板に、上記マグネットユニットを押して上記ばね材の湾曲部をそのばね性に抗して変形させることにより上記アーム部を介して上記係合部を上記側板の開口の内側へ後退させるためのユニット押圧治具の差込み孔が上記マグネットユニットのマグネットの前面の中央位置に臨んで開設されており、
該差込み孔から差込んだユニット押圧治具で上記マグネットユニットの前面中央位置を押すことにより上記ばね材の湾曲部をそのばね性に抗して変形させ、該湾曲部の変形により上記アーム部が内方に向かって傾動して上記係合部が上記開口の内側へ後退するように構成したことを特徴とするリサイクル型マグネットキャッチ。
【請求項２】
上記ばね材のアーム部が、上記湾曲部に対し屈曲した形でその湾曲部の長手方向両端部のそれぞれに連設されていると共に、上記湾曲部が前方へ張り出す形状に形成されて上記マグネットユニットの背面に弾接することによりそのマグネットユニットを前方に向けて付勢しており、かつ、上記アーム部が上記マグネットユニットを挟む両側部分に配備されていて、上記湾曲部が後方へ張り出す形状に変形されたときに上記アーム部が内方に向かって傾動するようになっている請求項１に記載したリサイクル型マグネットキャッチ。
【請求項３】
中空の箱形ホルダーの前板部に上記取付孔が開設されており、上記筐体が上記箱形ホルダーに収容されていると共に、上記係合部と上記前板に具備されている上記鍔部とによって上記取付孔の孔縁部が挟持されて当該マグネットキャッチが上記箱形ホルダーに取り付けられている請求項１又は２に記載したリサイクル型マグネットキャッチ。
【発明の詳細な説明】
【０００１】
【発明の属する技術分野】
本発明は、マグネットキャッチ、詳しくは、マグネットの吸着力によって扉などの相手方部材を閉位置又は開位置といった所定位置に保持させるためのマグネットキャッチに関する。
【０００２】
【従来の技術】
この種のマグネットキャッチが実公平３−１５７３５号公報によって提案されている。図５にはこの公報に記載されているマグネットキャッチと類似する構造を持つ従来のマグネットキャッチＡを箱形ホルダーＢに取り付けた状態を概略斜視図で示してある。また、図６にはこのマグネットキャッチＡを断面図で示してあり、図７にはこのマグネットキャッチＡに用いられているマグネットユニット３を斜視図で示してある。
【０００３】
図６のように、マグネットキャッチＡは、後部が開放されている矩形箱形の筐体１を有し、その筐体１に合成樹脂成形体でなるばね材２が収容されている。ばね材２は、図６において上方へ張り出した形状の湾曲部２１と、その湾曲部２１に対し屈曲した形でその湾曲部２１の長手方向両端部のそれぞれに連設されている一対のアーム部２２，２２と、それらのアーム部２２，２２に突出状に設けられた係合部２３，２３とを備えている。また、図７のように、マグネットユニット３は、矩形のマグネット３１の両面のそれぞれに継鉄板３２，３２を吸着させてなり、それぞれの継鉄板３２，３２には、２つずつの吸着部３３，３３が突出した形に形成されている。
【０００４】
そして、筐体１に収容されたマグネットユニットの４つの吸着部３３…が、筐体１の前板１１の４箇所に開設された各開口１１ａ…に個別に挿入されている。また、筐体１に収容されたばね材２の一対の係合部２３，２３が、筐体１の相対向している一対の側板１２，１２のそれぞれに開設されている開口１３，１３から突出されてそれらの開口１３，１３の口縁に係止されていると共に、ばね材２の湾曲部２１がマグネットユニット３の背面に弾接してそのマグネットユニット３を図６において上方に向けて付勢しており、この付勢によって４つの各吸着部３３が、筐体１の前板１１の４箇所の開口１１ａ…から少し突出した状態に保持されている。なお、ばね材２の一対のアーム部２２，２２はマグネットユニット３を挟む両側部分に配備されている。
【０００５】
さらに、開口１３，１３から突出している上記係合部２３，２３と、筐体１の前板１１に具備されて外側へ張り出した鍔部１４とによって、当該マグネットキャッチの取付孔の孔縁部を挟持することができるようになっている。図６には、符号４１で示した取付孔の孔縁部４２を、上記係合部２３，２３と上記鍔部１４とによって挟持させた状態を示してある。
【０００６】
以上説明したマグネットキャッチＡを取付孔４１に取り付けるときには、図６に示した取付孔４１に矢印ａ方向から筐体１を差し込むことによって、アーム部２２，２２のばね性により係合部２３，２３が取付孔４１の孔縁部４２を乗り越えるようにすると、同図のように、取付孔４１の孔縁部４２を係合部２３，２３と鍔部１４とが挟持してマグネットキャッチＡが取付孔４１に取り付けられる。
【０００７】
また、相手方部材（不図示）が吸着部３３…に吸着されると、その相手方部材がその位置に保持される。さらに、相手方部材が吸着部３３に吸着するときの衝撃は、マグネットユニット３がばね材２の湾曲部２１をそのばね性に抗して変形させながら後退することによって緩和される。
【０００８】
上記したようなマグネットキャッチＡは、そのマグネットキャッチＡを取り付けてある器物が損壊したり耐用性が損なわれたりした場合に、その器物から取り外してリサイクルに供することが有益であり、その場合には、マグネットキャッチＡを構成している筐体１、マグネット３１、継鉄板３２、ばね材２といった数個の部品を分解してそれらを個別にリサイクルに供する必要が生じることもある。
【０００９】
【発明が解決しようとする課題】
ところで、上記した従来のマグネットキャッチＡは、図６に矢印ａで示したように取付孔４１の外側からその取付孔４１に筐体１を差し込み、筐体１の前板１１の鍔部１４とばね材２の係合部２３とによって取付孔４１の孔縁部４２を挟持させることによって取付孔４１に取り付けられるので、このマグネットキャッチＡを破壊せずに取付孔４１から取り外すときには、図８に断面図で示した取外し手順説明図のように、係合部２３を筐体１の側板部１２の開口１３の内側へ押し込んだ状態を維持したまま、矢印ｂのように筐体１を取付孔４１から外側へ抜き出すことが必要になる。
【００１０】
ところが、取付孔４１が図５に示した箱形ホルダーＢに形成されていて、箱形ホルダーＢに取り付けられたマグネットキャッチＡの筐体１がその箱形ホルダーＢに収容されているようなときには、箱形ホルダーＢを壊さない限り、図８で説明した係合部２３を開口１３の内側へ押し込むという作業を行うことが不可能である。このことから、上記した従来のマグネットキャッチＡは、その取付部分から損傷なく取り外してマグネットキャッチＡ自体をリサイクルに供したり、取り外したマグネットキャッチＡを分解してマグネットユニット３などの構成部品をリサイクルに供したりすることに困難があった。
【００１１】
本発明は以上の事情に鑑みてなされたものであり、上記した構成の従来のマグネットキャッチＡであっても、きわめて簡単な対策を講じるだけで取付部分から壊さずに簡単に取り外すことが可能になり、しかも、その取外し作業をきわめて短い時間で誰もが容易に行うことができるようにすることを目的とする。
【００１２】
また、本発明は、マグネットキャッチ自体、あるいはマグネットキャッチの構成部品をリサイクルに供しやすくすることを目的とする。
【００１３】
【課題を解決するための手段】
図面を参照して本発明のリサイクル型マグネットキャッチを説明する。なお、この欄で図中の符号を使用したのは、発明の内容の理解を助けるためであって、内容を図例に限定する意図ではない。
【００１４】
本発明は、マグネット３１に継鉄板３２を吸着させたマグネットユニット３を収容した筐体１に、湾曲部２１とその湾曲部２１に連設されたアーム部２２とを有するばね材２が収容され、上記アーム部２２に設けられた係合部２３が上記筐体１の側板部１２に開設された開口１３から突出されてその開口１３の口縁に係止されていると共に、上記湾曲部２１が上記マグネットユニット３を付勢して上記継鉄板３２に設けられた吸着部３３が上記筐体１の前板１１に開設されている開口１１ａから突出され、上記係合部２３と上記前板１１に具備されて外側へ張り出した鍔部１４とによって当該マグネットキャッチの取付孔４１の孔縁部４２を挟持することができるようになっているマグネットキャッチＡを対象としている。このようなマグネットキャッチには、図５〜図８で説明したマグネットキャッチＡが含まれる。そのため、このマグネットキャッチＡを取付孔４１に取り付けるときには、図６で説明したように、取付孔４１の外側からその取付孔４１に筐体１を差し込み、鍔部１４と係合部２３とによって取付孔４１の孔縁部４２を挟持させるという簡単な作業を行うだけでよい。したがって、取付孔４１が図５で示したような箱形ホルダーＢに形成されている場合にも、その箱形ホルダーＢにマグネットキャッチＡを容易にしかも短時間で取り付けることが可能である。
【００１５】
本発明では、筐体１の前板１１に差込み孔５が上記マグネットユニット３のマグネット３１の前面の中央位置に臨んで開設されている。この差込み孔５は、筐体１に収容されているマグネットユニット３を押して上記ばね材２の湾曲部２１をそのばね性に抗して変形させることにより上記アーム部２２，２２を介して上記係合部２３，２３を上記側板部１２の開口１３，１３の内側へ後退させるためのユニット押圧治具Ｃを差し込むために設けられる孔であり、そのユニット押圧治具Ｃを差し込むことのできる大きさを有している。本発明は、該差込み孔５から差込んだユニット押圧治具Ｃで上記マグネットユニット３の前面中央位置を押すことにより上記ばね材２の湾曲部２１をそのばね性に抗して変形させ、該湾曲部２１の変形により上記アーム部２２，２２が内方に向かって傾動して上記係合部２３，２３が上記開口１３，１３の内側へ後退するように構成したことを特徴としている。
【００１６】
この発明のようにマグネットキャッチＡにおいて、差込み孔５に差し込んだユニット押圧治具Ｃでばね材２の湾曲部２１をそのばね性に抗して変形させると、その変形量によっては、アーム部２２，２２が内方に向かって傾動し、そのようなアーム部２２，２２の傾動によって係合部２３，２３が開口１３，１３の内側へ後退する。こうして係合部２３，２３が開口１３，１３の内側へ後退すると、その係合部２３，２３が取付孔４１の孔縁部４２から外れるので、筐体１を取付孔４１の外側へ抜き出すことが可能になる。したがって、この発明によると、取付孔４１にマグネットキャッチＡを取り付けた側からの作業によって、取付孔４１に取り付けられているマグネットキャッチＡを取り外すことができるようになる。このため、マグネットキャッチＡが図５に示したような箱形ホルダーＢに取り付けられているような場合であっても、容易にしかも短時間でマグネットキャッチＡを壊さずに取り外すことができるようになる。
【００１７】
また、取付孔４１から取り外されたマグネットキャッチＡは、ばね材２の係合部２３を開口１３の内側に押し込んでそのばね材２を筐体１の後部側から抜き出した後、マグネットユニット３を筐体１の後部側に抜き出すといった作業を行うことによって各構成部品に分解することが可能である。
【００１８】
本発明では、上記ばね材２のアーム部２３，２３が、上記湾曲部２１に対し屈曲した形でその湾曲部２１の長手方向両端部のそれぞれに連設されていると共に、上記湾曲部２１が前方へ張り出す形状に形成されて上記マグネットユニット３の背面に弾接することによりそのマグネットユニット３を前方に向けて付勢しており、かつ、上記アーム部２３，２３が上記マグネットユニット３を挟む両側部分に配備されていて、上記湾曲部２１が後方へ張り出す形状に変形されたときに上記アーム部２１，２１が内方に向かって傾動するようになっていることが望ましい。このようになっていると、ユニット押圧治具Ｃによってマグネットユニット３を介してばね材２の湾曲部２１を変形させる動作によって、係合部２３，２３が確実に開口１３，１３の内側へ後退する。
【００１９】
上記差込み孔５は、上記マグネットユニット３のマグネット３１の前面の中央位置に臨んでいる。このようになっていると、ユニット押圧治具Ｃによるマグネットユニット３の押込操作を確実にしかも容易に行うことができる。
【００２０】
本発明のマグネットキャッチＡは、中空の箱形ホルダーＢの前板部９１に上記取付孔が開設されており、上記筐体１が上記箱形ホルダーＢに収容されていると共に、上記係合部２３と上記前板１１に具備されている上記鍔部１４とによって上記取付孔４１の孔縁部４２が挟持されて当該マグネットキャッチＡが上記箱形ホルダーＢに取り付けられている、というものであってもよい。このようにマグネットキャッチＡが中空の箱形ホルダーＢに取り付けられていても、そのマグネットキャッチＡを箱形ホルダーＢの外側から作業して取り外すことが可能になる。
【００２１】
【発明の実施の形態】
図１は本発明の実施形態に係るマグネットキャッチＡを箱形ホルダーＢに取り付けた状態の概略斜視図、図２はこのマグネットキャッチＡの断面図、図３及び図４は取付孔４１からマグネットキャッチＡを取り外す手順を断面図で例示した説明図であり、図１は図５に、図２は図６に、それぞれ対応している。
【００２２】
図１及び図２に示したマグネットキャッチＡにおいて、図５や図６で説明した従来のマグネットキャッチＡと異なる点は、筐体１の前板１１に後述するユニット押圧治具Ｃを差し込むための差込み孔５を開設してある点だけである。したがって、説明の重複を避けるため、図１及び図２においては、図５及び図６に示された部分と同一部分に同一符号を付すことによって詳細な説明を省略することにする。
【００２３】
図３及び図４にユニット押圧治具Ｃを例示している。このユニット押圧治具Ｃは、把手８１に剛性の大きな線状体８２を突出させてなり、線状体８２の先端部分８３は所定の曲率半径で湾曲している。そして、上記差込み孔５はユニット押圧治具Ｃの線状体８２を差し込むことのできる大きさを有している。また、図例のマグネットキャッチＡにおいて、差込み孔５は、筐体１に収容されているマグネットユニット３のマグネット３１の前面の中央位置に臨んでいる。すなわち、前板１１には、左右及び上下に２つずつの開口１１ａ…が縦横に並んだ状態で開設されていて、それらの各開口１１ａから４つの吸着部３３…が突出している。そして、４つの上記開口１１ａの形成箇所の中央部分に差込み孔５が開設されており、差込み孔５をこの部分に形成することによって、その差込み孔５を、筐体１に収容されているマグネットユニット３のマグネット３１の前面の中央位置に臨ませている。
【００２４】
図１及び図２のマグネットキャッチＡを取付孔４１に取り付けるときには、図６で説明したところと同様の作業を行う。すなわち、図２において、取付孔４１の外側から矢印ａで示したようにその取付孔４１に筐体１を差し込み、筐体１の前板１１の鍔部１４とばね材２の係合部２３とによって取付孔４１の孔縁部４２を挟持させるといった作業を行うだけでよい。したがって、取付孔４１が図１に示した中空の箱形ホルダーＢに設けられている場合であっても、短時間で容易にしかも確実に取り付けることが可能である。
【００２５】
取付孔４１に取り付けられたマグネットキャッチＡを取り外すときには、図３に仮想線で示したようにユニット押圧治具Ｃの線状体８２の先端部分８３を差込み孔５のところに持っていって差込み孔５に差し込み、その後、矢印Ｆのようにユニット押圧治具Ｃを起立させることによって先端部分８３によってマグネットユニット３、具体的にはマグネット３１の前面を押し付ける。このようにすると、マグネットユニット３が、ばね材２の湾曲部２１をそのばね性に抗して変形させながら押し、図３のように湾曲部２１を後方へ張り出す形状に変形させる。湾曲部２１がこのような後方へ張り出す形状に変形すると、湾曲部２１の両側のアーム部２２，２２が内方に向かって傾動するので、それらのアーム部２２，２２を介して係合部２３，２３が側板１２の開口１３，１３の内側へ後退する。こうして係合部２３，２３が開口１３，１３の内側へ後退すると、その係合部２３，２３が取付孔４１の孔縁部４２から外れるので、図４のように、筐体１を取付孔４１の外側へ抜き出すことが可能になる。なお、図３に実線で示したようにユニット押圧治具Ｃを起立させると、その時点で、ユニット押圧治具Ｃの線状体８２の先端部分８３がばね材２の湾曲部２１のばね性によってマグネットユニット３と前板１１とにより挟まれた状態になるので、筐体１を取付孔４１の外側へ抜き出すときには、図４のようにユニット押圧治具Ｃだけを手で持ってマグネットキャッチＡの筐体１を取付孔４１から引き出すことが可能である。
【００２６】
このことから判るように、このマグネットキャッチＡは、取付孔４１にマグネットキャッチＡを取り付けた側（取付孔４１の外側）からの作業によって、取付孔４１に取り付けられているマグネットキャッチＡを取り外すことができるようになるので、たとえ、マグネットキャッチＡが図１に示したような箱形ホルダーＢに取り付けられているような場合であっても、容易にしかも短時間でマグネットキャッチＡを壊さずに取り外すことができるようになる。
【００２７】
以上説明した実施形態では、マグネットユニット３が、１つのマグネット３１と２枚の継鉄板３２，３２とによって形成されていて、４つの吸着部３３…を有しているけれども、このマグネットユニット３の構成は図例に限定されない。
【００２８】
【発明の効果】
以上のように本発明に係るマグネットキャッチは、取付部分から壊さずに簡単に取り外すことが可能であり、しかも、その取外し作業はきわめて短い時間で誰もが容易に行うことができる。また、マグネットキャッチ自体は、その構成部品に容易に分解することが可能であるので、マグネットキャッチを取り付けてある器物が損壊したり耐用性が損なわれたりした場合に、そのマグネットキャッチを器物から壊さずに取り外してリサイクルに供することが可能になり、しかも、マグネットキャッチを構成している筐体、マグネット、継鉄板、ばね材といった数個の部品を分解してそれらを個別にリサイクルに供することも容易に可能である。
【図面の簡単な説明】
【図１】  本発明の実施形態に係るマグネットキャッチを箱形ホルダーに取り付けた状態の概略斜視図である。
【図２】  マグネットキャッチの断面図である。
【図３】  取付孔４１にユニット押圧治具を差し込んだ状態の説明図である。
【図４】  ユニット押圧治具を使ってマグネットキャッチを取付孔から引き出したときの説明図である。
【図５】  従来のマグネットキャッチを箱形ホルダーに取り付けた状態の概略斜視図である。
【図６】  従来のマグネットキャッチの断面図である。
【図７】  マグネットユニット３の斜視図である。
【図８】  従来のマグネットユニットの取外し手順説明図である。
【符号の説明】
Ａ  マグネットキャッチ
Ｂ  箱形ホルダー
Ｃ  ユニット押圧治具
１  筐体
２  ばね材
３  マグネットユニット
５  差込み孔
１１  前板
１１ａ  前板の開口
１２  筐体の側板
１３  側板の開口
１４  鍔部
２１  湾曲部
２２  アーム部
２３  係合部
３１  マグネット
３２  継鉄板
３３  吸着部
４１  取付孔
４２  孔縁部
９１  箱形ホルダーの前板部
【図１】
0004231600.tif 000002
【図２】
0004231600.tif 000003
【図３】
0004231600.tif 000004
【図４】
0004231600.tif 000005
【図５】
0004231600.tif 000006
【図６】
0004231600.tif 000007
【図７】
0004231600.tif 000008
【図８】
0004231600.tif 000009